(57)【要約】【課題】直観的かつ迅速な電子機器の制御を実現する携帯通信端末を提供する。【解決手段】電子機器に対する制御指令を送信する携帯通信端末であって、前記電子機器と通信する端末通信部と、前記携帯通信端末の本体の予め定められた基準方向からの傾斜およびその傾斜方向を検知する傾き検知部と、前記傾斜方向に予め関連付けられた前記制御指令を保持する端末記憶部と、前記端末通信部、前記傾き検知部および前記端末記憶部を制御する端末制御部とを備え、前記端末制御部は、予め定められた基準方向から前記本体が傾けられたことを前記傾き検知部が検知した場合、その傾斜方向に予め関連付けられた前記制御指令を前記電子機器に対して前記端末通信部に送信させることを特徴とする携帯通信端末。【選択図】図７
2018085714.tif 000002
【特許請求の範囲】
【請求項１】
電子機器に対する制御指令を送信する携帯通信端末であって、
前記電子機器と通信する端末通信部と、
前記携帯通信端末の本体の予め定められた基準方向からの傾斜およびその傾斜方向を検知する傾き検知部と、
前記傾斜方向に予め関連付けられた前記制御指令を保持する端末記憶部と、
前記端末通信部、前記傾き検知部および前記端末記憶部を制御する端末制御部とを備え、
前記端末制御部は、予め定められた基準方向から前記本体が傾けられたことを前記傾き検知部が検知した場合、その傾斜方向に予め関連付けられた前記制御指令を前記電子機器に対して前記端末通信部に送信させることを特徴とする携帯通信端末。
【請求項２】
前記端末通信部は、予め定められた範囲内に前記電子機器が近接したときに通信を開始する近接場型の無線通信機能を有し、
前記端末記憶部は、前記本体の傾斜によって前記電子機器を制御するためのアプリケーションプログラムを保持し、
前記端末制御部は、前記端末通信部が前記電子機器との通信を開始したとき、前記アプリケーションプログラムを起動させる請求項１に記載の携帯通信端末。
【請求項３】
端末報知部をさらに備え、
前記端末制御部は、前記本体を前記基準方向から傾けるべき１以上の傾斜方向を前記端末報知部に報知させ、前記１以上の傾斜方向のうち１つの傾斜方向に前記本体が傾けられたことを前記傾き検知部が検知した場合、その傾斜方向に予め関連付けられた前記制御指令を前記電子機器に対して前記端末通信部に送信させる請求項１または２に記載の携帯通信端末。
【請求項４】
前記傾き検知部は、前記携帯通信端末の本体の前記基準方向からの傾斜角度をさらに検知し、
前記端末制御部は、前記基準方向から予め定められた第１角度以上に前記本体が傾けられたことを前記傾き検知部が検知したとき、その傾斜方向を前記端末記憶部に保持させ、その後、前記本体が前記第１角度よりも小さい予め定められた第２角度以内に戻されたことを前記傾き検知部が検知したとき、前記傾斜方向に予め関連付けられた前記制御指令を前記電子機器に対して前記端末通信部に送信させる請求項１〜３のいずれか１つに記載の携帯通信端末。
【請求項５】
前記電子機器は画像形成装置であり、
前記制御指令には、画像形成に係る指令が含まれる請求項１〜４のいずれか１つに記載の携帯通信端末。
【請求項６】
携帯通信端末による電子機器の制御方法であって、
前記携帯通信端末は、予め定められた範囲内に前記電子機器が近接したときに通信を開始した後、前記携帯通信端末の本体の傾斜によって前記電子機器を制御するためのアプリケーションプログラムを起動して前記本体を前記基準方向から傾けるべき１以上の傾斜方向をユーザーに報知し、
前記１以上の傾斜方向のうち１つの傾斜方向に前記本体が傾けられた場合、前記携帯通信端末は、その傾斜方向に予め関連付けられた前記電子機器に対する制御指令を前記電子機器に送信することを特徴とする電子機器制御方法。
【請求項７】
携帯通信端末から制御指令を受信して制御される電子機器であって、
前記携帯通信端末の本体の予め定められた基準方向から前記本体が傾斜した際にその傾斜方向に予め関連付けられた制御指令を前記携帯通信端末から受信する機器通信部と、
前記制御指令に応じて予め定められた処理を実行する機器制御部とを備えたことを特徴とする電子機器。
【請求項８】
前記機器通信部は、予め定められた範囲内に前記携帯通信端末が近接したときに通信を開始する近接場型の無線通信機能を有し、
前記機器制御部は、前記機器通信部が前記携帯通信端末との通信を開始したとき、前記携帯通信端末に対し、前記本体の傾斜によって前記電子機器を制御するためのアプリケーションプログラムの起動指令を前記機器通信部に送信させる請求項７に記載の電子機器。
【請求項９】
機器報知部をさらに備え、
前記機器制御部は、前記携帯通信端末の本体を前記基準方向から傾けるべき１以上の傾斜方向を前記機器報知部に報知させ、前記１以上の傾斜方向のうち１つの傾斜方向に前記本体が傾斜した際に、その傾斜方向に予め関連付けられた制御指令を前記携帯通信端末から受信する請求項７または８に記載の電子機器。
【請求項１０】
前記電子機器は画像形成装置であり、
前記制御指令には、画像形成に係る指令が含まれる請求項７〜９のいずれか１つに記載の電子機器。
【請求項１１】
携帯通信端末から制御指令を受信して制御される電子機器の制御方法であって、
前記電子機器は、予め定められた範囲内に前記携帯通信端末が近接したときに通信を開始した後、前記本体の傾斜によって前記電子機器を制御するためのアプリケーションプログラムの起動指令を前記携帯通信端末に送信して前記本体を前記基準方向から傾けるべき１以上の傾斜方向をユーザーに報知し、
前記１以上の傾斜方向のうち１つの傾斜方向に前記本体が傾けられた場合、その傾斜方向に予め関連付けられた制御指令を前記携帯通信端末から受信し、前記制御指令に応じて予め定められた処理を実行することを特徴とする電子機器制御方法。
【発明の詳細な説明】
【技術分野】
【０００１】
この発明は、携帯通信端末、電子機器および携帯通信端末を用いた電子機器制御方法に関する。
【背景技術】
【０００２】
近年、非接触ＩＣカードを用いたユーザー認証やおサイフケータイ（登録商標）など、近接場型の無線通信を用いた技術が普及している。近接場型の無線通信は、Near Field CommunicationあるいはＮＦＣともいう。ＮＦＣは、通信可能範囲（以下、フィールドともいう）が数センチメートル〜数十センチメートル程度で、例えばFeliCa（登録商標）やMIFARE（登録商標）などの規格がある。
【０００３】
また、このような近接場型の無線通信を用いて様々な電子機器を制御する技術も知られている。
例えば、ＩＣカードをカード読み書き装置にかざすことによって、ＩＣカードが無線インターフェースを通じてカード読み書き装置と通信を始め、情報処理端末の特定のアプリケーションが起動したり、コントローラの電源を投入して動作を開始したりすることができる発明が提案されている（例えば、特許文献１参照）。
【０００４】
一方、スマートフォン、タブレットコンピュータあるいはモバイルコンピュータなどの携帯通信端末も近接場型の無線通信機能を備えるようになり、このような携帯通信端末を用いて電子機器を制御する技術も知られている。
【０００５】
このような技術としては、例えば、スマートフォンが印刷装置にＮＦＣ通信で接続した後、ユーザーがスマートフォンの姿勢を用いて印刷設定を行う発明が提案されている（例えば、特許文献２参照）。
【先行技術文献】
【特許文献】
【０００６】
【特許文献１】特開２００３−１４１４７７号公報
【特許文献２】特開２０１４−１８６６７９号公報
【発明の概要】
【発明が解決しようとする課題】
【０００７】
しかしながら、ＮＦＣを備えた携帯通信端末の処理能力が向上しているにもかかわらず、従来の電子機器の制御方法は、タッチ操作を主たるものとするものであった。それゆえ、タッチ操作の手間を省いてユーザーの利便性をさらに向上させるべく、ＮＦＣを備えた携帯通信端末の処理能力を十分に活用した新たな携帯通信端末、電子機器および携帯通信端末を用いた電子機器制御方法が求められていた。
【０００８】
この発明は、以上のような事情を考慮してなされたものであって、直観的かつ迅速な電子機器の制御を実現する携帯通信端末、電子機器および携帯通信端末を用いた電子機器制御方法を提供するものである。
【課題を解決するための手段】
【０００９】
この発明は、電子機器に対する制御指令を送信する携帯通信端末であって、前記電子機器と通信する端末通信部と、前記携帯通信端末の本体の予め定められた基準方向からの傾斜およびその傾斜方向を検知する傾き検知部と、前記傾斜方向に予め関連付けられた前記制御指令を保持する端末記憶部と、前記端末通信部、前記傾き検知部および前記端末記憶部を制御する端末制御部とを備え、前記端末制御部は、予め定められた基準方向から前記本体が傾けられたことを前記傾き検知部が検知した場合、その傾斜方向に予め関連付けられた前記制御指令を前記電子機器に対して前記端末通信部に送信させることを特徴とする携帯通信端末を提供する。
また、この発明は、携帯通信端末から制御指令を受信して制御される電子機器であって、前記携帯通信端末の本体の予め定められた基準方向から前記本体が傾斜した際にその傾斜方向に予め関連付けられた制御指令を前記携帯通信端末から受信する機器通信部と、前記制御指令に応じて予め定められた処理を実行する機器制御部とを備えたことを特徴とする電子機器を提供する。
また、この発明は、携帯通信端末による電子機器の制御方法であって、前記携帯通信端末は、予め定められた範囲内に前記電子機器が近接したときに通信を開始した後、前記携帯通信端末の本体の傾斜によって前記電子機器を制御するためのアプリケーションプログラムを起動して前記本体を前記基準方向から傾けるべき１以上の傾斜方向をユーザーに報知し、前記１以上の傾斜方向のうち１つの傾斜方向に前記本体が傾けられた場合、前記携帯通信端末は、その傾斜方向に予め関連付けられた前記電子機器に対する制御指令を前記電子機器に送信することを特徴とする電子機器制御方法を提供する。
また、この発明は、携帯通信端末から制御指令を受信して制御される電子機器の制御方法であって、前記電子機器は、予め定められた範囲内に前記携帯通信端末が近接したときに通信を開始した後、前記本体の傾斜によって前記電子機器を制御するためのアプリケーションプログラムの起動指令を前記携帯通信端末に送信して前記本体を前記基準方向から傾けるべき１以上の傾斜方向をユーザーに報知し、前記１以上の傾斜方向のうち１つの傾斜方向に前記本体が傾けられた場合、その傾斜方向に予め関連付けられた制御指令を前記携帯通信端末から受信し、前記制御指令に応じて予め定められた処理を実行することを特徴とする電子機器制御方法を提供する。
【発明の効果】
【００１０】
この発明によれば、直観的かつ迅速な電子機器の制御を実現する携帯通信端末、電子機器および携帯通信端末を用いた電子機器制御方法が提供される。
【図面の簡単な説明】
【００１１】
【図１】この発明の実施形態１に係るデジタル複合機および携帯通信端末を備えたデジタル複合機制御システムの概略構成を示す説明図である。
【図２】図１に示すデジタル複合機の本体部分の機構的構成を示す断面図である。
【図３】図１に示すデジタル複合機および携帯通信端末の電気的構成を示すブロック図である。
【図４】図１に示すデジタル複合機の平面図である。
【図５】図１に示すデジタル複合機のパネルユニットの一例を示す説明図である。
【図６】図５に示すパネルユニット上に携帯通信端末をかざした例を示す説明図である。
【図７】図１に示す携帯通信端末の処理の概略を示すフローチャート図である。
【図８】図１に示すデジタル複合機の処理の概略を示すフローチャート図である。
【図９】図１に示す携帯通信端末の表示操作部の一例を示す説明図である。
【図１０】図１に示す携帯通信端末の傾斜例を示す説明図である。図１０（Ａ）は、図９のＡ−Ａ線矢視方向から見た携帯通信端末の傾斜例を示す説明図であり、図１０（Ｂ）は、図９のＢ−Ｂ線矢視方向から見た携帯通信端末２の傾斜例を示す説明図である。
【図１１】この発明の実施形態２に係る携帯通信端末の表示操作部の一例を示す説明図である。
【図１２】この発明の実施形態３に係る携帯通信端末の表示操作部の一例を示す説明図である。
【図１３】この発明の実施形態３に係る携帯通信端末の表示操作部の一例を示す説明図である。
【図１４】この発明の実施形態３に係る携帯通信端末の表示操作部の一例を示す説明図である。
【図１５】この発明の実施形態４に係る携帯通信端末の表示操作部の一例を示す説明図である。
【図１６】この発明の実施形態６に係る携帯通信端末の処理の概略を示すフローチャート図である。
【図１７】この発明の実施形態６に係るデジタル複合機の処理の概略を示すフローチャート図である。
【図１８】この発明の実施形態７に係るデジタル複合機のパネルユニットの表示操作部の表示の一例を示す説明図である。
【発明を実施するための形態】
【００１２】
（i）この発明による携帯通信端末は、電子機器に対する制御指令を送信する携帯通信端末であって、前記電子機器と通信する端末通信部と、前記携帯通信端末の本体の予め定められた基準方向からの傾斜およびその傾斜方向を検知する傾き検知部と、前記傾斜方向に予め関連付けられた前記制御指令を保持する端末記憶部と、前記端末通信部、前記傾き検知部および前記端末記憶部を制御する端末制御部とを備え、前記端末制御部は、予め定められた基準方向から前記本体が傾けられたことを前記傾き検知部が検知した場合、その傾斜方向に予め関連付けられた前記制御指令を前記電子機器に対して前記端末通信部に送信させることを特徴とする。
また、この発明による電子機器は、携帯通信端末から制御指令を受信して制御される電子機器であって、前記携帯通信端末の本体の予め定められた基準方向から前記本体が傾斜した際にその傾斜方向に予め関連付けられた制御指令を前記携帯通信端末から受信する機器通信部と、前記制御指令に応じて予め定められた処理を実行する機器制御部とを備えたことを特徴とする。
また、この発明による電子機器制御方法は、携帯通信端末による電子機器の制御方法であって、前記携帯通信端末は、予め定められた範囲内に前記電子機器が近接したときに通信を開始した後、前記携帯通信端末の本体の傾斜によって前記電子機器を制御するためのアプリケーションプログラムを起動して前記本体を前記基準方向から傾けるべき１以上の傾斜方向をユーザーに報知し、前記１以上の傾斜方向のうち１つの傾斜方向に前記本体が傾けられた場合、前記携帯通信端末は、その傾斜方向に予め関連付けられた前記電子機器に対する制御指令を前記電子機器に送信することを特徴とする。
また、この発明による電子機器制御方法は、携帯通信端末から制御指令を受信して制御される電子機器の制御方法であって、前記電子機器は、予め定められた範囲内に前記携帯通信端末が近接したときに通信を開始した後、前記本体の傾斜によって前記電子機器を制御するためのアプリケーションプログラムの起動指令を前記携帯通信端末に送信して前記本体を前記基準方向から傾けるべき１以上の傾斜方向をユーザーに報知し、前記１以上の傾斜方向のうち１つの傾斜方向に前記本体が傾けられた場合、その傾斜方向に予め関連付けられた制御指令を前記携帯通信端末から受信し、前記制御指令に応じて予め定められた処理を実行することを特徴とする。
【００１３】
この発明において、「電子機器」は、例えば、複写機や複合機、または複写以外の機能をも含むＭＦＰ（Multifunctional Peripheral：多機能周辺装置）、テレビ、ＤＶＤレコーダー、パーソナルコンピュータ（ＰＣ）、電子黒板等の通信機能を備えた機器である。
「携帯通信端末」は、スマートフォンやタブレット端末等の通信機能を備えた携帯可能な端末である。
「前記携帯通信端末の本体の予め定められた基準方向」は、例えば、水平方向や垂直方向、あるいは予め定められた傾斜面に沿った方向などがあげられる。
「前記傾斜方向に予め関連付けられた」は、例えば、携帯通信端末の本体が水平方向から本体の上下左右のいずれかの側が下向きになるように傾斜したとき、各傾斜方向に対して、電子機器に対する制御指令を対応させることである。
【００１４】
さらに、この発明の好ましい態様について説明する。
【００１５】
（ii）前記端末通信部は、予め定められた範囲内に前記電子機器が近接したときに通信を開始する近接場型の無線通信機能を有し、前記端末記憶部は、前記本体の傾斜によって前記電子機器を制御するためのアプリケーションプログラムを保持し、前記端末制御部は、前記端末通信部が前記電子機器との通信を開始したとき、前記アプリケーションプログラムを起動させるものであってもよい。
【００１６】
このようにすれば、電子機器からＮＦＣの通信範囲内に携帯通信端末を近づけるだけで、電子機器の制御用のアプリケーションが自動で立ち上がるため、直観的かつ迅速な電子機器の制御を実現する携帯通信端末を実現できる。
【００１７】
（iii）端末報知部をさらに備え、前記端末制御部は、前記本体を前記基準方向から傾けるべき１以上の傾斜方向を前記端末報知部に報知させ、前記１以上の傾斜方向のうち１つの傾斜方向に前記本体が傾けられたことを前記傾き検知部が検知した場合、その傾斜方向に予め関連付けられた前記制御指令を前記電子機器に対して前記端末通信部に送信させるものであってもよい。
【００１８】
このようにすれば、携帯通信端末の本体を傾けるべき１以上の傾斜方向がユーザーに報知されるため、ユーザーの利便性が向上する携帯通信端末を実現できる。
【００１９】
「端末報知部」は、例えば、視覚による表示や音声等により、携帯通信端末の本体を傾けるべき１以上の傾斜方向をユーザーに報知する部分である。
【００２０】
（iv）前記傾き検知部は、前記携帯通信端末の本体の前記基準方向からの傾斜角度をさらに検知し、前記端末制御部は、前記基準方向から予め定められた第１角度以上に前記本体が傾けられたことを前記傾き検知部が検知したとき、その傾斜方向を前記端末記憶部に保持させ、その後、前記本体が前記第１角度よりも小さい予め定められた第２角度以内に戻されたことを前記傾き検知部が検知したとき、前記傾斜方向に予め関連付けられた前記制御指令を前記電子機器に対して前記端末通信部に送信させるものであってもよい。
【００２１】
このようにすれば、携帯通信端末の傾斜によって電子機器との通信状態が悪くなったとき、傾斜方向のデータを送信せずに記憶部に保持しておき、その後、携帯通信端末の傾斜が元に戻されて電子機器との通信状態が回復したときに、記憶部に保持していた傾斜方向のデータを電子機器に送信することにより、電子機器への制御指令を安定して送信することが可能となる。
【００２２】
「前記基準方向から予め定められた第１角度」は、例えば、電子機器との通信の信号強度が弱くなる、または通信が切断される携帯通信端末の傾斜角度である。第１角度の例としては、例えば、約３０°である。
「前記第１角度よりも小さい予め定められた第２角度」は、例えば、電子機器との通信状態が良好になる、または通信が切断状態から回復する携帯通信端末の傾斜角度である。第２角度の例としては、例えば、約０°である。
【００２３】
（v）前記電子機器は画像形成装置であり、前記制御指令には、画像形成に係る指令が含まれるものであってもよい。
【００２４】
このようにすれば、携帯通信端末による直観的かつ迅速な画像形成装置の制御が実現できる。
【００２５】
（vi）前記機器通信部は、予め定められた範囲内に前記携帯通信端末が近接したときに通信を開始する近接場型の無線通信機能を有し、前記機器制御部は、前記機器通信部が前記携帯通信端末との通信を開始したとき、前記携帯通信端末に対し、前記本体の傾斜によって前記電子機器を制御するためのアプリケーションプログラムの起動指令を前記機器通信部に送信させるものであってもよい。
【００２６】
このようにすれば、電子機器からＮＦＣの通信範囲内に携帯通信端末が近づいたときに、電子機器の制御用のアプリケーションの起動指令を当該携帯通信端末に送信するため、当該アプリケーションの起動のための操作が不要となり、ユーザーの利便性が向上する電子機器を実現できる。
【００２７】
（vii）機器報知部をさらに備え、前記機器制御部は、前記携帯通信端末の本体を前記基準方向から傾けるべき１以上の傾斜方向を前記機器報知部に報知させ、前記１以上の傾斜方向のうち１つの傾斜方向に前記本体が傾斜した際に、その傾斜方向に予め関連付けられた制御指令を前記携帯通信端末から受信するものであってもよい。
【００２８】
このようにすれば、携帯通信端末の本体を傾けるべき１以上の傾斜方向が機器報知部を通じてユーザーに報知されるため、ユーザーの利便性が向上する電子機器を実現できる。
【００２９】
「機器報知部」は、例えば、視覚による表示や音声等により、携帯通信端末の本体を傾けるべき１以上の傾斜方向をユーザーに報知する部分である。
【００３０】
（viii）前記電子機器は画像形成装置であり、前記制御指令には、画像形成に係る指令が含まれるものであってもよい。
【００３１】
このようにすれば、携帯通信端末による直観的かつ迅速な画像形成装置の制御が実現できる。
【００３２】
以下、図面を用いてこの発明をさらに詳述する。なお、以下の説明は、すべての点で例示であって、この発明を限定するものと解されるべきではない。
【００３３】
〔実施形態１〕
図１〜図６に基づき、この発明の携帯通信端末および電子機器からなる電子機器制御システムの一例としてのデジタル複合機制御システム１０について説明する。
図１は、この発明の実施形態１に係るデジタル複合機１および携帯通信端末２を備えたデジタル複合機制御システム１０の概略構成を示す説明図である。図２は、図１に示すデジタル複合機１の本体部分の機構的構成を示す断面図である。図３は、図１に示すデジタル複合機１および携帯通信端末２の電気的構成を示すブロック図である。図４は、図１に示すデジタル複合機１の平面図である。図５は、図１に示すデジタル複合機１のパネルユニット１８０の一例を示す説明図である。図６は、図５に示すパネルユニット１８０上に携帯通信端末２をかざした例を示す説明図である。
【００３４】
図１に示すように、この発明のデジタル複合機制御システム１０は、デジタル複合機１および携帯通信端末２から構成される。
【００３５】
なお、この発明の「電子機器」は、デジタル複合機１によって実現される。また、この発明の「端末通信部」は、通信部２５５および近接通信部２９０によって実現される。また、この発明の「端末記憶部」は、メモリ２０４によって実現される。また、この発明の「端末報知部」は、表示操作部２０３によって実現される。また、この発明の「機器通信部」は、通信部５５および近接通信部１９０によって実現される。また、この発明の「機器制御部」は、制御部１００によって実現される。また、この発明の「機器報知部」は、表示操作部１０３によって実現される。
【００３６】
デジタル複合機１は、画像データをデジタル処理し、複写機能やスキャナ機能、ファクシミリ機能を有する複合機やＭＦＰ（Multifunctional Peripheral：多機能周辺装置）などの装置である。
【００３７】
デジタル複合機１は、ＮＦＣ機能を搭載し、携帯通信端末２とＮＦＣによる通信を行う。実施形態１においては、通信可能範囲が数センチメートル〜数十センチメートル程度のＮＦＣを採用し、ユーザーは、デジタル複合機１に設けられた近接通信部１９０を中心とする前記通信可能範囲内に携帯通信端末２を近づけることで、デジタル複合機１と通信を行う。
【００３８】
携帯通信端末２は、ＮＦＣ機能を搭載し、各種の情報を送受信可能な通信機能を有する携帯用の情報端末である。例えば、スマートフォン等の携帯電話、タブレット端末等の携帯型端末を利用することができる。
【００３９】
＜デジタル複合機１の構成＞
ここで、図２に示すデジタル複合機１の内部的な構成を簡単に説明しておく。
図２に示すように、デジタル複合機１は、原稿を読み取る原稿読取装置１１１、原稿を読取り部に搬送する原稿搬送装置１１２および画像形成を行う印刷部１０２を備える。
【００４０】
デジタル複合機１においては、ブラック（Ｋ）、シアン（Ｃ）、マゼンタ（Ｍ）、イエロー（Ｙ）の各色を用いたカラー画像を印刷シートに印刷する。あるいは、単色（例えばブラック）を用いたモノクロ画像を印刷シートに印刷する。このため、現像装置１２、感光体ドラム１３、ドラムクリーニング装置１４、および帯電器１５等は、それぞれ４個ずつ設けられる。各色に応じた４種類のトナー像を形成するために、それぞれがブラック、シアン、マゼンタ、およびイエローに対応付けられて、４つの画像ステーションＰａ、Ｐｂ、Ｐｃ、Ｐｄが構成されている。
【００４１】
各画像ステーションＰａ、Ｐｂ、Ｐｃ、Ｐｄのいずれにおいても、次のようにしてトナー像が形成される。ドラムクリーニング装置１４が、感光体ドラム１３表面の残留トナーを除去および回収する。その後、帯電器１５が感光体ドラム１３の表面を所定の電位に均一に帯電させる。そして、光走査装置１１が均一に帯電した前記表面を露光して前記表面に静電潜像を形成する。その後、現像装置１２が前記静電潜像を現像する。これにより、各感光体ドラム１３表面に各色のトナー像が形成される。
【００４２】
また、中間転写ベルト２１は矢印Ｃの方向に周回移動する。ベルトクリーニング装置２２は周回移動する中間転写ベルト２１の残留トナーを除去および回収する。各感光体ドラム１３表面の各色のトナー像が中間転写ベルト２１に順次転写して重ね合わせられて、中間転写ベルト２１上にカラーのトナー像が形成される。
【００４３】
前記印刷シートは、ピックアップローラ３３により４つある給送トレイ１８のいずれか一つから引出されて、シート搬送経路Ｒ１を介して２次転写装置２３へ給送される。あるいは、手差しトレイ１９から図示しないピックアップローラによって給送され、シート搬送経路Ｒ１を介して２次転写装置２３へ給送される。シート搬送経路Ｒ１には、印刷シートを一旦停止させて印刷シートの先端を揃えるレジストローラ３４が配置されている。また印刷シートの搬送を促す搬送ローラ３５等が配置されている。レジストローラ３４は、印刷シートを一旦停止させた後、中間転写ベルト２１と転写ローラ２３ａ間のニップ域へトナー像の転写タイミングに合わせて印刷シートを搬送する。
【００４４】
２次転写装置２３の転写ローラ２３ａと中間転写ベルト２１との間にはニップ域が形成される。印刷シートが前記ニップを通過するとき、中間転写ベルト２１の表面に形成されたカラーのトナー像が印刷シートに転写される。印刷シートは、前記ニップ域を通過した後、定着装置１７の加熱ローラ２４と加圧ローラ２５との間に挟まれて加熱および加圧される。この加熱および加圧により、カラーのトナー像が印刷シート上に定着される。
【００４５】
定着装置１７を通過した印刷シートは、排出ローラ３６ａまたは３６ｂを経て排出トレイ３９ａまたは３９ｂへ排出される。印刷シートの排出先は、後述する制御部１００によって制御され、図示しない切替え機構によって排出トレイ３９ａおよび３９ｂのいずれかへ印刷シートが導かれるように搬送経路が切替えられる。印刷シートの搬送経路の切替え機構は、画像形成装置の技術分野で周知であるので詳細な図示を省略している。
【００４６】
続いて、図３に基づき、デジタル複合機１の電気的な構成を簡単に説明しておく。
図３に示すように、デジタル複合機１は、通信部５５、制御部１００、印刷部１０２、表示操作部１０３、メモリ１０４、原稿読取装置１１１、原稿搬送装置１１２および近接通信部１９０を備える。
【００４７】
デジタル複合機１は、表示操作部１０３や通信部５５または近接通信部１９０を介して受付けたユーザーからの制御指令に基づいてスキャナ、印刷およびコピーのジョブを実行する。
【００４８】
以下、デジタル複合機１の電気的な各構成要素を説明する。
【００４９】
＜デジタル複合機１の電気的構成＞
通信部５５は、外部の機器と通信データを送受信し、例えば、外部のＰＣ等から印刷ジョブ等の制御指令を受信する通信インターフェースの回路およびファームウェアである。
【００５０】
制御部１００は、デジタル複合機１を統合的に制御するものであって、ＣＰＵ、ＲＡＭ、ＲＯＭ、各種のインターフェース回路等からなる。
制御部１００は、デジタル複合機１全体の動作をコントロールするために、各センサの検知、モーター、クラッチ、定着ランプ等、あらゆる負荷の監視・制御を行う。
【００５１】
図３に示されるように、制御部１００は、特定の用途のために１つの半導体チップに実装された集積回路であるＳｏＣ（System-on-a-Chip）１０１およびその他の演算機能を有する回路を備える。
【００５２】
ＳｏＣ１０１は、Ｉ２ＣやＳＰＩ等の通信規格によりＮＦＣタグＩＣ１９２とシリアル通信を行い、ＮＦＣタグＩＣ１９２から受信した印刷指令に基づき、印刷部１０２や原稿読取装置１１１等を制御して、印刷等の処理を実行させる。
なお、ＳｏＣ１０１とＮＦＣタグＩＣ１９２との通信は高速でなくてもよく、低速であってもよい。
【００５３】
印刷部１０２は、電子写真方式により印刷画像を印刷シートに印刷する。印刷部１０２は、図２における光走査装置１１、現像装置１２、感光体ドラム１３、ドラムクリーニング装置１４および帯電器１５に係る電気的構成要素を含んで構成される。さらに、中間転写ベルト２１、定着装置１７、シート搬送経路Ｒ１、給送トレイ１８、および排出トレイ３９ａ、３９ｂに係る電気的構成要素を含んで構成される。
【００５４】
表示操作部１０３は、液晶ディスプレイ（Liquid Crystal Display）とタッチパネルから構成され、液晶ディスプレイに情報を表示し、タッチパネルを通じてユーザーからの指令を受け付ける部分である。制御部１００は、表示操作部１０３を通じて、デジタル複合機１の動作および状態の表示を行う。
【００５５】
メモリ１０４は、ＲＡＭ１０４ａおよびＲＯＭ１０４ｂを備え、例えばハードディスク装置（ＨＤＤ）やフラッシュメモリ等不揮発性の記憶手段であって、種々のデータやプログラムを保持する。
【００５６】
ＲＡＭ１０４ａは、制御部１００がアクセス可能なメモリ（Random Access Memory）であり、一時的にデータを記憶しておくワークメモリを提供する。
【００５７】
ＲＯＭ１０４ｂは、制御部１００がアクセス可能な読み出し専用メモリ（Read Only Memory）であり、制御部１００のプログラム制御のために必要なデータが保持される。ＲＯＭ１０４ｂには、例えば、画像形成機能やタグ情報などの設定の基礎となる各種のデータが保持される。
【００５８】
ＲＡＭ１０４ａおよびＲＯＭ１０４ｂは、制御部１００とバス接続されており、制御部１００を動作させるためのプログラム保持、メモリ展開がなされる。これらは一例の構成であって、複数のＣＰＵや基板により構成されるシステムであってもよい。
【００５９】
原稿読取装置１１１は、原稿台に載置された原稿を光学的に読み取るスキャナ等の装置である。
原稿搬送装置１１２は、所定のトレイにセットされた原稿を原稿読取装置１１１に搬送する装置である。
【００６０】
例えば、制御部１００は、原稿読取装置１１１および原稿搬送装置１１２を制御して、原稿搬送装置１１２により原稿を搬送する。そして、原稿読取装置１１１により原稿の画像を読取らせ、原稿の画像を示す画像データをメモリ１０４に保持する。さらに、印刷部１０２を制御して、外部のＰＣや携帯通信端末２等から受信した印刷データの画像を印刷シートに印刷させる。
【００６１】
近接通信部１９０は、携帯通信端末２との間でＮＦＣによる通信を行う部分である。
近接通信部１９０は、携帯通信端末２が通信可能範囲内に入った場合に、携帯通信端末２からの応答を受信して携帯通信端末２が通信可能範囲内に入ったことを認識する。
近接通信部１９０は、アンテナ１９１およびＮＦＣタグＩＣ１９２を備える。
【００６２】
近接通信部１９０は、デジタル複合機１の予め定められた位置（図１参照）に設けられ、アンテナ１９１は、近接した携帯通信端末２とのＮＦＣ通信を媒介する。
【００６３】
ＮＦＣタグＩＣ１９２は、携帯通信端末２との間でＮＦＣによる通信を行うためのＩＣである。
なお、ＮＦＣタグＩＣ１９２として、電池を内蔵して電波を発することが可能な無線タグであるアクティブタグや、携帯通信端末２から電波を受信し、これを起電力として動作するダイナミックタグ等のタグ用のＩＣを用いるものであってもよい。
【００６４】
また、長距離型の無線通信であっても、例えば、通信強度等により通信距離を計測して予め定められた距離の範囲内でのみ携帯通信端末２との通信を開始するようにしてもよい。
また、携帯通信端末２の所定のスイッチ等を入れることで、携帯通信端末２との通信を開始するようにしてもよい。
【００６５】
以上がデジタル複合機１の構成の概要である。
【００６６】
＜携帯通信端末２の電気的構成＞
次に、携帯通信端末２の電気的構成について説明する。
【００６７】
図３に示されるように、この発明の携帯通信端末２は、制御部２００、傾き検知部２０１、表示操作部２０３、メモリ２０４、通信部２５５および近接通信部２９０を備える。
【００６８】
以下、携帯通信端末２の電気的な各構成要素を説明するが、表示操作部２０３および通信部２５５は、それぞれデジタル複合機１の表示操作部１０３および通信部５５と同様の構成を有するため、説明を省略する。
【００６９】
制御部２００は、携帯通信端末２を統合的に制御する部分であって、ＣＰＵ、ＲＡＭ、ＲＯＭ、各種のインターフェース回路等からなる。
【００７０】
傾き検知部２０１は、携帯通信端末２の本体の傾きを検知する部分である。
傾き検知方法としては、例えば、加速度センサで携帯通信端末２にかかる地球の重力加速度の大きさを測定することによって、携帯通信端末２の傾斜方向および傾斜角度を求めることができる。
また、ジャイロセンサで携帯通信端末２に生じた角速度を検知することによって、携帯通信端末２の傾斜方向、傾斜角度および傾斜速度等を求めることもできる。
【００７１】
メモリ２０４は、メモリ１０４と同様の構成を有するが、ＲＯＭ１０４ｂには、例えば、デジタル複合機１のＮＦＣによる制御用のアプリケーションプログラムデータが保持される。
当該アプリケーションプログラムには、携帯通信端末２の本体の予め定められた基準方向からの傾斜方向に対応した種々の制御指令が予め保持される。
【００７２】
近接通信部２９０は、デジタル複合機１との間でＮＦＣによる通信を行う部分である。
近接通信部２９０は、アンテナ２９１およびＮＦＣ ＩＣ２９２を備える。
【００７３】
アンテナ２９１は、デジタル複合機１とのＮＦＣ通信を媒介する。
ＮＦＣ ＩＣ２９２は、デジタル複合機１との間でＮＦＣによる通信を行うためのＩＣである。
【００７４】
次に、近接通信部１９０の配置について説明する。
【００７５】
図４および図５に示されるように、デジタル複合機１は、上面の一部にパネルユニット１８０を備える。
【００７６】
図５に示されるように、パネルユニット１８０は、表示操作部１０３、物理操作部１８１および近接通信部１９０を備える。
【００７７】
表示操作部１０３には、デジタル複合機１の操作用アイコン１０３１等が表示され、ユーザーは操作用アイコン１０３１をタッチすることにより、デジタル複合機１を操作することができる。
【００７８】
物理操作部１８１は、物理的なキーを押して操作する部分であり、表示灯１８１１、電源キー１８１２、節電キー１８１３およびホームキー１８１４を備える。
ホームキー１８１４は、動作モードを選択するホーム画面に表示操作部１０３の表示画面を戻すためのキーである。
【００７９】
近接通信部１９０は、アンテナ１９１を備える。図５においては、アンテナ１９１は、近接通信部１９０の中央付近に設けられている。
【００８０】
図６に示すように、ユーザーは、近接通信部１９０上に携帯通信端末２を水平にかざすことにより、デジタル複合機１と携帯通信端末２との間でＮＦＣによる通信を開始する。ＮＦＣの通信範囲内であれば、携帯通信端末２は、近接通信部１９０からある程度（例えば、数センチ〜数十センチ程度）離れていてもよい。
【００８１】
なお、テレビや電子黒板等の場合は、例えば、ディスプレイに垂直に設けられた近接通信部１９０に対して平行になるように携帯通信端末２をかざすことによって、ＮＦＣによる通信を開始するようにしてもよい。
この場合、携帯通信端末２の傾斜角度の基準となるのは、垂直方向である。
【００８２】
また、近接通信部１９０が斜めに傾斜している場合は、近接通信部１９０に対して平行になるように携帯通信端末２をかざすことにより、ＮＦＣによる通信を開始するようにしてもよい。
この場合、携帯通信端末２の傾斜角度の基準となるのは、近接通信部１９０に対して平行方向である。
【００８３】
＜この発明の実施形態１に係るデジタル複合機１の制御の概略＞
次に、図７〜図１０に基づき、この発明の実施形態１に係るデジタル複合機１の制御の概略について説明する。
【００８４】
図７は、図１に示す携帯通信端末２の処理の概略を示すフローチャート図である。図８は、図１に示すデジタル複合機１の処理の概略を示すフローチャート図である。図９は、図１に示す携帯通信端末２の表示操作部２０３の一例を示す説明図である。図１０は、図１に示す携帯通信端末２の傾斜の例を示す説明図である。図１０（Ａ）は、図９のＡ−Ａ線矢視方向から見た携帯通信端末２の傾斜例を示す説明であり、図１０（Ｂ）は、図９のＢ−Ｂ線矢視方向から見た携帯通信端末２の傾斜例を示す説明図である。
【００８５】
なお、図７の破線の矢印は、図８のフローチャート図における関連したステップを示すものである。
例えば、図７のステップＳ１２の処理は、図８のステップＳ２２の処理と相互に関連している。また、図８のステップＳ２３の処理を受けて、図７のステップＳ１３の処理が行われる関係にある。また、図７のステップＳ１８の処理を受けて、図８のステップＳ２４の処理が行われる関係にある。
【００８６】
＜この発明の携帯通信端末２の処理の流れ＞
次に、図７に基づき、この発明の携帯通信端末２の処理の流れについて説明する。
【００８７】
図７のステップＳ１１において、携帯通信端末２の制御部２００は、近接通信部２９０がデジタル複合機１のＮＦＣタグＩＣ１９２を検知したか否かを判定する（ステップＳ１１）。
【００８８】
近接通信部２９０がデジタル複合機１のＮＦＣタグＩＣ１９２を検知した場合（ステップＳ１１の判定がＹｅｓの場合）、制御部２００は、ステップＳ１２において、近接通信部２９０にデジタル複合機１の近接通信部１９０との通信を開始させる（ステップＳ１２）。
【００８９】
一方、近接通信部２９０がデジタル複合機１のＮＦＣタグＩＣ１９２を検知していない場合（ステップＳ１１の判定がＮｏの場合）、制御部２００は、ステップＳ１１の判定を繰り返す（ステップＳ１１）。
【００９０】
次に、ステップＳ１３において、制御部２００は、近接通信部２９０がデジタル複合機１の近接通信部１９０からＮＦＣタグＩＣ１９２のタグ情報を受信したか否かを判定する（ステップＳ１３）。
【００９１】
近接通信部２９０がデジタル複合機１の近接通信部１９０からＮＦＣタグＩＣ１９２のタグ情報を受信した場合（ステップＳ１３の判定がＹｅｓの場合）、制御部２００は、ステップＳ１４において、受信した当該タグ情報に基づき、デジタル複合機１専用のアプリケーションを起動させる（ステップＳ１４）。
【００９２】
当該タグ情報には、携帯通信端末２がタグ情報を受信したとき、デジタル複合機１に対応したアプリケーションを自動で起動するように予めデータが記述されている。
【００９３】
このようにして、複合機やテレビ等の異なる種類の電子機器に携帯通信端末２を近づけるだけで対応するアプリケーションが自動的に起動するため、ユーザーの利便性が向上する。
【００９４】
一方、近接通信部２９０がデジタル複合機１の近接通信部１９０からＮＦＣタグＩＣ１９２のタグ情報を受信していない場合（ステップＳ１３の判定がＮｏの場合）、制御部２００は、ステップＳ１３の判定を繰り返す（ステップＳ１３）。
【００９５】
次に、ステップＳ１５において、制御部２００は、傾き検知部２０１により携帯通信端末２の本体の傾きが検知された否かを判定する（ステップＳ１５）。
【００９６】
携帯通信端末２の本体の傾きが検知された場合（ステップＳ１５の判定がＹｅｓの場合）、制御部２００は、ステップＳ１６において、検知した傾斜方向をメモリ２０４に保持し、デジタル複合機１の近接通信部１９０との通信をいったん切断する（ステップＳ１６）。
【００９７】
一方、携帯通信端末２の本体の傾きが検知されていない場合（ステップＳ１５の判定がＮｏの場合）、制御部２００は、ステップＳ１５の判定を繰り返す（ステップＳ１５）。
【００９８】
次に、ステップＳ１７において、制御部２００は、携帯通信端末２の本体の傾きが水平に戻されたか否かを判定する（ステップＳ１７）。
【００９９】
携帯通信端末２の本体の傾きが水平に戻された場合（ステップＳ１７の判定がＹｅｓの場合）、制御部２００は、ステップＳ１８において、近接通信部２９０にデジタル複合機１の近接通信部１９０との通信を再開させ、メモリ２０４に保持した傾斜方向に予め関連付けられた制御指令を送信させる（ステップＳ１８）。
【０１００】
一方、携帯通信端末２の本体の傾きが水平に戻されていない場合（ステップＳ１７の判定がＮｏの場合）、制御部２００は、ステップＳ１７の判定を繰り返す（ステップＳ１７）。
【０１０１】
続いて、ステップＳ１９において、制御部２００は、近接通信部２９０がデジタル複合機１のＮＦＣタグＩＣ１９２の検知を継続しているか否かを判定する（ステップＳ１９）。
【０１０２】
近接通信部２９０がデジタル複合機１のＮＦＣタグＩＣ１９２の検知を継続している場合（ステップＳ１９の判定がＹｅｓの場合）、制御部２００は、ステップＳ１５の判定に戻る（ステップＳ１５）。
【０１０３】
一方、近接通信部２９０がデジタル複合機１のＮＦＣタグＩＣ１９２の検知を継続していない場合（ステップＳ１９の判定がＮｏの場合）、制御部２００は、デジタル複合機１の近接通信部１９０との通信を終了させる（ステップＳ２０）。
【０１０４】
なお、ステップＳ１７において、携帯通信端末２の本体の傾きが水平に戻されていない場合においても、近接通信部２９０がデジタル複合機１のＮＦＣタグＩＣ１９２の検知を継続していない場合、制御部２００は、デジタル複合機１の近接通信部１９０との通信を終了させるようにしてもよい。
【０１０５】
また、ステップＳ２０において通信を終了させた後、制御部２００は、メモリ２０４に保持した傾斜方向をリセットするようにしてもよい。
【０１０６】
このようにすることで、ユーザーが携帯通信端末２の本体を意図せずして誤った方向に傾けてしまった場合、携帯通信端末２をデジタル複合機１の近接通信部１９０の通信可能範囲外にはずすことによって、近接通信部１９０との通信を終了させ、誤った制御指令をキャンセルすることが可能となる。
【０１０７】
＜この発明のデジタル複合機１の処理の流れ＞
次に、図８に基づき、この発明のデジタル複合機１の処理の流れについて説明する。
【０１０８】
図８のステップＳ２１において、デジタル複合機１の制御部１００は、近接通信部１９０のＮＦＣタグＩＣ１９２が携帯通信端末２のＮＦＣ ＩＣ２９２を検知したか否かを判定する（ステップＳ２１）。
【０１０９】
ＮＦＣタグＩＣ１９２がＮＦＣ ＩＣ２９２を検知した場合（ステップＳ２１の判定がＹｅｓの場合）、制御部１００は、ステップＳ２２において、近接通信部１９０に携帯通信端末２の近接通信部２９０との通信を開始させる（ステップＳ２２）。
【０１１０】
一方、ＮＦＣタグＩＣ１９２がＮＦＣ ＩＣ２９２を検知していない場合（ステップＳ２１の判定がＮｏの場合）、制御部１００は、ステップＳ２１の判定を繰り返す（ステップＳ２１）。
【０１１１】
次に、ステップＳ２３において、制御部１００は、メモリ１０４に予め保持されたタグ情報を携帯通信端末２に送信させる（ステップＳ２３）。
【０１１２】
続いて、ステップＳ２４において、制御部１００は、近接通信部１９０が携帯通信端末２からの制御指令を受信したか否かを判定する（ステップＳ２４）。
【０１１３】
近接通信部１９０が携帯通信端末２からの制御指令を受信した場合（ステップＳ２４の判定がＹｅｓの場合）、制御部１００は、ステップＳ２５において、受信した制御指令をＳｏＣ１０１に送信して制御処理を実行する（ステップＳ２５）。
【０１１４】
具体的には、携帯通信端末２から制御指令を受信した後、ＮＦＣタグＩＣ１９２は受信した制御指令をメモリ１０４に書き込み、ＳｏＣ１０１に割り込み要求を送信する。
【０１１５】
一方、割り込み要求を受信したＳｏＣ１０１は、ＮＦＣタグＩＣ１９２に制御指令の送信要求を送信する。ＳｏＣ１０１から送信要求を受信したＮＦＣタグＩＣ１９２は、メモリ１０４に保持した制御指令を読み出してＳｏＣ１０１に送信する。
【０１１６】
ＳｏＣ１０１は、ＮＦＣタグＩＣ１９２から制御指令を受信すると、受信した制御指令に対応した制御処理を実行する。
【０１１７】
その後、制御部１００は、デジタル複合機１の制御処理を終了させる。
【０１１８】
一方、ステップＳ２４において、近接通信部１９０が携帯通信端末２からの制御指令を受信していない場合（ステップＳ２４の判定がＮｏの場合）、制御部１００は、ステップＳ２４の判定を繰り返す（ステップＳ２４）。
【０１１９】
次に、図９および図１０に基づき、この発明の携帯通信端末２の傾斜例について説明する。
【０１２０】
デジタル複合機１専用のアプリケーションが起動すると、図９に示すように、デジタル複合機１の制御用の画面が、携帯通信端末２の表示操作部２０３に表示される。
【０１２１】
図９の例において、４つのアイコン（すなわち、「メール」アイコン２０３１ａ、「スキャン」アイコン２０３１ｂ、「コピー」アイコン２０３１ｃおよび「ファックス」アイコン２０３１ｄ）がそれぞれ表示操作部２０３の上側、右側、下側および左側に表示されている。
【０１２２】
なお、表示操作部２０３の空いたスペースに携帯通信端末２を上下左右のいずれかの方向に傾ける旨のメッセージを表示させるようにしてもよい。
あるいは、当該メッセージを音声で知らせるようにしてもよい。
また、携帯通信端末２が予め定められた基準方向を向いていない場合、携帯通信端末２を基準方向に向けるようメッセージを報知するようにしてもよい。
また、携帯通信端末２が上下左右のいずれかの方向に傾いていない場合は、正しい方向に傾けるようメッセージを報知するようにしてもよい。
このようにメッセージを報知することで、視覚や聴覚に障害があるユーザーの利便性が向上する。
【０１２３】
ユーザーは、携帯通信端末２を近接通信部１９０にかざしたまま、携帯通信端末２を基準方向（図６の例では、水平方向）から傾ける。
【０１２４】
図１０（Ａ）に示すように、ユーザーは、スキャンを実行したい場合、右側が下になるように携帯通信端末２を傾け、ファックスを実行したい場合は、左側が下になるように携帯通信端末２を傾ける。
【０１２５】
また、図１０（Ｂ）に示すように、ユーザーは、コピーを実行したい場合、手前側が下になるように携帯通信端末２を傾け、メールを実行したい場合は、奧側が下になるように携帯通信端末２を傾ける。
【０１２６】
このとき、携帯通信端末２の傾きを検知すると、ＮＦＣ通信がいったん切断されるが、携帯通信端末２の傾きが水平状態に戻されると、ＮＦＣ通信が再開されて、デジタル複合機１に制御指令が送信される。
【０１２７】
このようにすれば、携帯通信端末２の傾斜によってデジタル複合機１との通信状態が悪くなったときに、傾斜方向のデータを送信せずにメモリ２０４に保持しておき、携帯通信端末２の傾斜が元に戻されてデジタル複合機１との通信状態が回復したときに、メモリ２０４に保持していた傾斜方向のデータをデジタル複合機１に送信することにより、デジタル複合機１への制御指令を安定して送信することが可能となる。
【０１２８】
このように、ユーザーは、携帯通信端末２を近接通信部１９０にかざして所定の方向に傾けるだけで、直観的かつ迅速なデジタル複合機１の制御が可能となるため、ユーザーの利便性が向上する。
【０１２９】
〔実施形態２〕
次に、図１１に基づき、この発明の実施形態２に係る電子機器制御システムの一例としてのデジタル複合機制御システム１０について説明する。
図１１は、この発明の実施形態２に係る携帯通信端末２の表示操作部２０３の一例を示す説明図である。
【０１３０】
実施形態２においては、ユーザーが携帯通信端末２を上下左右いずれかの方向に傾けることによって、メール、コピー、ファックスおよびスキャンのいずれかを選択した後、さらにユーザーに確認を促す画面を表示させる。
【０１３１】
図１１は、図９において、ユーザーが携帯通信端末２の下側を下向きに傾けてコピーを選択した後に表示操作部２０３に表示される画面の一例を示す。
【０１３２】
図１１に示すように、表示操作部２０３には、「コピーを開始しますか？」というメッセージ２０３２とともに、「ＯＫ」および「キャンセル」の２種類の操作にそれぞれ対応する２つの「ＯＫ」アイコン２０３２ａおよび「キャンセル」アイコン２０３２ｂが表示される。
【０１３３】
ここで、図１１において、右側が下になるようにユーザーが携帯通信端末２を傾けて「ＯＫ」を選択したとき、コピーを実行すべき指令がデジタル複合機１に送信される。
【０１３４】
一方、左側が下になるようにユーザーが携帯通信端末２を傾けて「キャンセル」を選択したとき、コピーの選択状態をキャンセルすべき指令がデジタル複合機１に送信される。
その後、表示操作部２０３の画面は、図９に示す選択画面に戻る。
【０１３５】
このように、特定の操作が選択された後、さらにユーザーに確認を促す画面を表示させて、「ＯＫ」か「キャンセル」のいずれかを選択させることにより、携帯通信端末２を意図しない方向に傾けることによる誤操作を防止することが可能となる。
【０１３６】
また、確認のための操作も、携帯通信端末２を傾けることによって行われるため、直観的かつ迅速なデジタル複合機１の制御が可能となって、ユーザーの利便性が向上する。
【０１３７】
また、コピーが開始された後、コピーの実行中に表示操作部２０３に「中止」アイコンを表示させ、「中止」アイコンの方向に携帯通信端末２を傾けることによって、コピーの実行を中止させる指令をデジタル複合機１に送信させるようにしてもよい。
【０１３８】
このようにすれば、コピーの開始後もユーザーは携帯通信端末２を傾けることによって、コピーの実行を中止させることができるため、直観的かつ迅速なデジタル複合機１の制御が可能となって、ユーザーの利便性が向上する。
【０１３９】
〔実施形態３〕
次に、図１２〜図１４に基づき、この発明の実施形態３に係る電子機器制御システムの一例としてのデジタル複合機制御システム１０について説明する。
図１２〜図１４は、この発明の実施形態３に係る携帯通信端末２の表示操作部２０３の一例を示す説明図である。
【０１４０】
図１２に示すように、表示操作部２０３に「設定」アイコン２０３２ｃを追加表示させることで、さらに別の操作を行えるようにしてもよい。
【０１４１】
図１３は、図１２において、下側が下になるように携帯通信端末２を傾けることによって、設定画面を表示させたときの表示操作部２０３を示す。
【０１４２】
図１３に示すように、表示操作部２０３には、「倍率」アイコン２０３３ａ、「部数」アイコン２０３３ｂ、「トレイ」アイコン２０３３ｃおよび「キャンセル」アイコン２０３３ｄが表示される。
【０１４３】
図１４は、図１３において、右側が下になるように携帯通信端末２を傾けることによって、コピー部数の設定画面を表示させたときの表示操作部２０３を示す。
【０１４４】
図１４に示すように、表示操作部２０３には、「リセット」アイコン２０３４ａ、「＋１」アイコン２０３４ｂ、「ＯＫ」アイコン２０３４ｃおよび「−１」アイコン２０３４ｄが表示される。
【０１４５】
ユーザーは、右側または左側が下になるように携帯通信端末２を傾けることによって、コピー部数を増減させることができる。
このとき、携帯通信端末２を１回傾けることでコピー部数を１だけ変化させるようにしてもよいが、携帯通信端末２を予め定められた時間以上（例えば、３秒以上）傾けたときに、コピー部数が連続的に増減するようにしてもよい。
【０１４６】
また、携帯通信端末２を傾ける時間の他、携帯通信端末２の傾斜角度や傾斜速度によって異なる制御を割り当てるようにしてもよい。
例えば、携帯通信端末２の傾斜角度や傾斜速度が大きいほど、コピー部数の増減の速さが増すようにしてもよい。
【０１４７】
このように、携帯通信端末２を傾ける時間や傾斜角度、傾斜速度によって異なる制御を割り当てることにより、直観的かつ迅速なデジタル複合機１の制御が可能となって、ユーザーの利便性が向上する。
【０１４８】
〔実施形態４〕
次に、図１５に基づき、この発明の実施形態４に係る電子機器制御システムの一例としてのデジタル複合機制御システム１０について説明する。
図１５は、この発明の実施形態４に係る携帯通信端末２の表示操作部２０３の一例を示す説明図である。
【０１４９】
図１５に示すように、表示操作部２０３には、「トレイ１ Ａ４−Ｒ」アイコン２０３５ａ、「トレイ２ Ａ４−Ｒ」アイコン２０３５ｂ、「トレイ３ Ｂ５−Ｒ」アイコン２０３５ｃ、「トレイ４ Ａ３」アイコン２０３５ｄおよび「ＯＫ」アイコン２０３５ｅが表示される。
【０１５０】
ユーザーは、上側または下側が下になるように携帯通信端末２を傾けることによって、４つのアイコン２０３５ａ，２０３５ｂ，２０３５ｃおよび２０３５ｄのいずれかを選択することができる。
【０１５１】
図１５において、最上段の「トレイ１ Ａ４−Ｒ」アイコン２０３５ａが選択されたことを示すため、アイコンの色が変化して色付きアイコンとなっている。
また、四角枠状のカーソルでアイコンを囲むことによってアイコンの選択状態を示すようにしてもよい。
【０１５２】
このとき、携帯通信端末２を１回傾けることで１つ上または下のアイコンに移動させるようにしてもよいが、携帯通信端末２を予め定められた時間以上（例えば、１秒以上）傾けたときに、アイコンの選択状態を示す色やカーソル等が複数のアイコンを連続的に移動するようにしてもよい。
【０１５３】
また、選択すべきアイコンの数が多く、表示操作部２０３の画面内に収まりきらない場合は、画面を上下にスクロールさせて画面外のアイコンを表示するようにしてもよい。
【０１５４】
また、携帯通信端末２の傾斜角度や傾斜速度が大きいほどアイコンの選択状態を示す色やカーソル等が複数のアイコン間を移動する速さが速くなるようにしてもよい。
【０１５５】
このように、携帯通信端末２を傾けるだけで、その傾斜方向に沿ってアイコンの選択状態を示す色やカーソル等が連続的に落ちるように移動するため、直観的かつ迅速なデジタル複合機１の制御が可能となり、ユーザーの利便性が向上する。
【０１５６】
〔実施形態５〕
ユーザーは、携帯通信端末２を傾ける操作の他、表示操作部２０３に表示されたアイコンを直接タッチすることによってデジタル複合機１に制御指令を与えることができるようにしてもよい。
【０１５７】
例えば、図９において、ユーザーが携帯通信端末２の下側を下に傾けてコピーを選択した後で、図１０または図１１に示すように表示された「ＯＫ」アイコン等を親指でタッチすることで、タッチ操作または携帯通信端末２の傾斜による制御を別々に行うよりも迅速にデジタル複合機１に印刷指令を送信することが可能となる。
【０１５８】
例えば、携帯通信端末２を手に握った状態で、複数のアイコンを親指でタッチ操作する従来の方法の場合、（１）親指を第１のアイコンにタッチした後、（２）いったん親指を第１のアイコンから離し、その後（３）親指をずらして第２のアイコンにタッチする、というように、少なくとも３段階の手順を踏む必要がある。
【０１５９】
一方、携帯通信端末２を傾ける操作と指によるタッチ操作とを組み合わせた実施形態５の方法の場合、（１）携帯通信端末２を傾けて第１のアイコンを選択した後、（２）親指を第２のアイコンにタッチする、というように、２段階の手順で済む。
【０１６０】
このように、携帯通信端末２を傾ける操作と指によるタッチ操作とを組み合わせることで、指でタッチする操作のみの場合と比べて、直観的かつ迅速なデジタル複合機１の制御を行うことが可能となる。
【０１６１】
〔実施形態６〕
次に、図１６および図１７に基づき、この発明の実施形態６に係るデジタル複合機１の制御の概略について説明する。
【０１６２】
図１６は、実施形態６に係る携帯通信端末２の処理の概略を示すフローチャート図である。図１７は、実施形態６に係るデジタル複合機１の処理の概略を示すフローチャート図である。
【０１６３】
なお、図１６のステップＳ３１、Ｓ３２およびＳ３５〜Ｓ４０はそれぞれ、図７のステップＳ１１、Ｓ１２およびＳ１５〜Ｓ２０に相当するため、説明を省略する。
また、図１７のステップＳ４１、Ｓ４２、Ｓ４４およびＳ４５もそれぞれ、図８のステップＳ２１、Ｓ２２、Ｓ２４およびＳ２５に相当するため、説明を省略する。
ここでは、図７および図８に記載のない図１６のステップＳ３３、Ｓ３４および図１７のステップＳ４３について説明する。
【０１６４】
図１６のステップＳ３２において、近接通信部２９０にデジタル複合機１の近接通信部１９０との通信が開始した後（ステップＳ３２）、制御部２００は、続くステップＳ３３において、近接通信部２９０がデジタル複合機１の近接通信部１９０からデジタル複合機１専用のアプリケーションの起動指令およびＮＦＣタグＩＣ１９２のタグ情報を受信したか否かを判定する（ステップＳ３３）。
【０１６５】
近接通信部２９０がデジタル複合機１の近接通信部１９０からデジタル複合機１専用のアプリケーションの起動指令およびＮＦＣタグＩＣ１９２のタグ情報を受信した場合（ステップＳ３３の判定がＹｅｓの場合）、制御部２００は、ステップＳ３４において、受信した起動指令を受けて当該タグ情報に基づき、デジタル複合機１専用のアプリケーションを起動させる（ステップＳ３４）。
【０１６６】
一方、近接通信部２９０がデジタル複合機１の近接通信部１９０からデジタル複合機１専用のアプリケーションの起動指令およびＮＦＣタグＩＣ１９２のタグ情報を受信していない場合（ステップＳ３３の判定がＮｏの場合）、制御部２００は、ステップＳ３３の判定を繰り返す（ステップＳ３３）。
【０１６７】
次に、図１７のステップＳ４２において、近接通信部１９０が携帯通信端末２の近接通信部２９０との通信を開始した後（ステップＳ４２）、制御部１００は、続くステップＳ４３において、メモリ１０４に予め保持されたデジタル複合機１専用のアプリケーションおよびＮＦＣタグＩＣ１９２のタグ情報を携帯通信端末２に送信させる（ステップＳ４３）。
【０１６８】
このように、デジタル複合機１からＮＦＣの通信範囲内に携帯通信端末２が近づいたときに、デジタル複合機１の制御用のアプリケーションの起動指令を携帯通信端末２に送信するため、当該アプリケーションの起動のための操作が不要となり、ユーザーの利便性が向上するデジタル複合機１を実現できる。
【０１６９】
〔実施形態７〕
次に、図１８に基づき、この発明の実施形態７に係るデジタル複合機１の制御の概略について説明する。
【０１７０】
図１８は、この発明の実施形態７に係るデジタル複合機１のパネルユニット１８０の表示操作部１０３の表示の一例を示す説明図である。
【０１７１】
近接通信部１９０が携帯通信端末２の近接通信部２９０との通信を開始したとき、図１８に示すように、デジタル複合機１の制御方法を示す画面をデジタル複合機１のパネルユニット１８０の表示操作部１０３に表示させるようにしてもよい。
【０１７２】
図１８において、表示操作部１０３には、携帯通信端末２の傾斜によりデジタル複合機１を操作する方法を示したメッセージ１０３２および傾斜方向を示す図１０３３が表示されている。
【０１７３】
また、携帯通信端末２の傾斜の方法を示すアニメーション１０３５および当該アニメーション１０３５に連動したメッセージ１０３４を表示操作部１０３に表示させるようにしてもよい。
【０１７４】
このように、携帯通信端末１の本体を傾けるべき１以上の傾斜方向が表示操作部１０３を通じてユーザーに報知されるため、ユーザーの利便性が向上するデジタル複合機１を実現できる。
【０１７５】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１７６】
１：デジタル複合機、    ２：携帯通信端末、    １０：デジタル複合機制御システム、    １１：光走査装置、    １２：現像装置、    １３：感光体ドラム、    １４：ドラムクリーニング装置、    １５：帯電器、    １７：定着装置、    １８：給送トレイ、    １９：手差しトレイ、    ２１：中間転写ベルト、    ２２：ベルトクリーニング装置、    ２３：２次転写装置、    ２４：加熱ローラ、    ２５：加圧ローラ、    ２３ａ：転写ローラ、    ３３：ピックアップローラ、    ３４：レジストローラ、    ３５：搬送ローラ、    ３６ａ，３６ｂ：排出ローラ、    ３９ａ，３９ｂ：排出トレイ、    ５５：通信部、    １００：制御部、    １０１：ＳｏＣ、    １０２：印刷部、    １０３：表示操作部、    １０３１：操作用アイコン、    １０３２，１０３４，２０３２：メッセージ、    １０３３：図、    １０３５：アニメーション、    １０４：メモリ、    １０４ａ：ＲＡＭ、    １０４ｂ：ＲＯＭ、    １１１：原稿読取装置、    １１２：原稿搬送装置、    １８０：パネルユニット、    １８１：物理操作部、    １９０：近接通信部、    １９１：アンテナ、    １９２：ＮＦＣタグＩＣ、    ２００：制御部、    ２０１：傾き検知部、    ２０３：表示操作部、    １８１１：表示灯、    １８１２：電源キー、    １８１３：節電キー、    １８１４：ホームキー、    ２０３１ａ〜２０３１ｄ，２０３２ａ〜２０３２ｃ，２０３３ａ〜２０３３ｄ，２０３４ａ〜２０３４ｄ，２０３５ａ〜ｄ，２０３５ｅ：アイコン、    ２０４：メモリ、    ２０４ａ：ＲＡＭ、    ２０４ｂ：ＲＯＭ、    ２５５：通信部、    ２９０：近接通信部、    ２９１：アンテナ、    ２９２：ＮＦＣ ＩＣ、    Ｃ：矢印、    Ｐａ，Ｐｂ，Ｐｃ，Ｐｄ：画像ステーション、    Ｒ１：シート搬送経路
【図１】
2018085714.tif 000003
【図２】
2018085714.tif 000004
【図３】
2018085714.tif 000005
【図４】
2018085714.tif 000006
【図５】
2018085714.tif 000007
【図６】
2018085714.tif 000008
【図７】
2018085714.tif 000009
【図８】
2018085714.tif 000010
【図９】
2018085714.tif 000011
【図１０】
2018085714.tif 000012
【図１１】
2018085714.tif 000013
【図１２】
2018085714.tif 000014
【図１３】
2018085714.tif 000015
【図１４】
2018085714.tif 000016
【図１５】
2018085714.tif 000017
【図１６】
2018085714.tif 000018
【図１７】
2018085714.tif 000019
【図１８】
2018085714.tif 000020